【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
中継ノードによって実行される、無線通信のための方法であって、
無線ネットワーク内の１つ又は複数のノードに関連するリソースの数を決定することと、
前記ノードに関連するリソースの数を決定することに少なくとも部分的に基づいて、予測リソース要求を生成することと、ここにおいて、前記予測リソース要求は、サービス品質（ＱｏＳ）階級に関連して生成される、
前記予測リソース要求を前記無線ネットワーク内の異なるノードへ送信することと、
前記異なるノードからリソースのセットの許可を取得することと、
前記ノードからデータを取得することと、
前記リソースの許可されたセットを介して前記異なるノードへ前記データを転送することと
を備える方法。
【請求項２】
前記ノードに関して決定された前記リソースの数と比較して、前記予測リソース要求のためのリソースの異なる数を計算することを更に備え、ここにおいて、前記予測リソース要求を生成することは、前記予測リソース要求に前記リソースの異なる数を含めることを備える、請求項１に記載の方法。
【請求項３】
前記ノードから送信され、受信又は復号を待機しているハイブリッド自動反復／要求（ＨＡＲＱ）パケットの数又はサイズを決定することを更に備え、ここにおいて、前記予測リソース要求のためのリソースの異なる数を計算することは、ＨＡＲＱパケットの前記数又はサイズに少なくとも部分的に基づく、請求項２に記載の方法。
【請求項４】
前記ノードに関連するパケット・パターンの１つ又は複数のパラメータを決定することを更に備え、ここにおいて、前記予測リソース要求のためのリソースの異なる数を計算することは、前記１つ又は複数のパラメータに少なくとも部分的に基づく、請求項２に記載の方法。
【請求項５】
前記パケット・パターンの１つ又は複数のパラメータを決定することは、前記ノードに割り当てられた１つ又は複数のトークン・バケツを決定することを含む、請求項４に記載の方法。
【請求項６】
前記無線ネットワーク内の複数の追加のノードからの１つ又は複数の異なるリソース要求を受信することを更に備え、ここにおいて、前記予測リソース要求のためのリソースの異なる数を計算することは、前記追加のノードとの通信に関連する１つ又は複数のパラメータを集約することを含む、請求項２に記載の方法。
【請求項７】
前記追加のノードとの通信に関連する１つ又は複数のパラメータを集約することは、前記異なるリソース要求における１つ又は複数の異なるパラメータを集約すること、前記追加のノードによって送信され、受信又は復号を待機しているハイブリッド自動反復／要求（ＨＡＲＱ）パケットの数又はサイズを集約すること、前記追加のノードに割り当てられた追加のリソースの数を集約すること、前記追加のノードからのバッファ状態レポートを集約すること、又は前記追加のノードに関連する１つ又は複数のトークン・バケツ・パラメータを集約することを含む、請求項６に記載の方法。
【請求項８】
前記予測リソース要求のためのリソースの異なる数を計算することは、前記追加のノードとの通信に関連する前記１つ又は複数のパラメータの各々に確率を適用することをさらに含み、ここにおいて、前記確率は、前記追加のノードから送信されたパケットを正しく受信する確率である、請求項６に記載の方法。
【請求項９】
前記予測リソース要求を生成することは、前記１つ又は複数のパラメータに関連するサービス品質に各々が対応する複数の予測リソース要求のベクトルを生成することを含む、請求項１に記載の方法。
【請求項１０】
無線通信のための中継ノードであって、
無線ネットワーク内の通信のための1つ又は複数のノードに関連するリソースの数を決定するための手段と、
前記ノードに関連するリソースの数を決定するための手段に少なくとも部分的に基づいて、予測リソース要求を生成するための手段と、ここにおいて、前記予測リソース要求は、サービス品質（ＱｏＳ）階級に関連して生成される、
前記リソースの数に少なくとも部分的に基づいて、前記予測リソース要求を前記無線ネットワーク内の異なるノードへ送信するための手段と、
前記異なるノードからリソースのセットの許可を取得するための手段と、
前記ノードからデータを取得するための手段と、
前記リソースの許可されたセットを介して前記異なるノードへ前記データを転送するための手段と
を備える中継ノード。
【請求項１１】
前記ノードに関して決定された前記リソースの数と比較して、前記予測リソース要求のためのリソースの異なる数を計算するための手段を更に備え、ここにおいて、前記予測リソース要求を生成するための手段は、前記予測リソース要求に前記リソースの異なる数を含めるための手段を備える、請求項１０に記載の中継ノード。
【請求項１２】
前記ノードから送信され、受信又は復号を待機しているハイブリッド自動反復／要求（ＨＡＲＱ）パケットの数又はサイズを決定するための手段を更に備え、ここにおいて、前記予測リソース要求のためのリソースの異なる数を計算するための手段は、ＨＡＲＱパケットの前記数又はサイズに少なくとも部分的に基づいて、前記予測リソース要求のためのリソースの異なる数を計算するための手段を備える、請求項１１に記載の中継ノード。
【請求項１３】
前記ノードに関連するパケット・パターンの１つ又は複数のパラメータを決定するための手段を更に備え、ここにおいて、前記予測リソース要求のためのリソースの異なる数を計算するための手段は、前記１つ又は複数のパラメータに少なくとも部分的に基づいて、前記予測リソース要求のためのリソースの異なる数を計算するための手段を備える、請求項１１に記載の中継ノード。
【請求項１４】
前記パケット・パターンの１つ又は複数のパラメータを決定するための手段は、前記ノードに割り当てられた１つ又は複数のトークン・バケツを決定するための手段を含む、請求項１３に記載の中継ノード。
【請求項１５】
前記無線ネットワーク内の複数の追加のノードからの１つ又は複数の異なるリソース要求を受信するための手段を更に備え、ここにおいて、前記予測リソース要求のためのリソースの異なる数を計算するための手段は、前記追加のノードとの通信に関連する１つ又は複数のパラメータを集約するための手段を含む、請求項１１に記載の中継ノード。
【請求項１６】
前記追加のノードとの通信に関連する１つ又は複数のパラメータを集約するための手段は、前記異なるリソース要求における１つ又は複数の異なるパラメータを集約するための手段、前記追加のノードによって送信され、受信又は復号を待機しているハイブリッド自動反復／要求（ＨＡＲＱ）パケットの数又はサイズを集約するための手段、前記追加のノードに割り当てられた追加のリソースの数を集約するための手段、前記追加のノードからのバッファ状態レポートを集約するための手段、又は前記追加のノードに関連する１つ又は複数のトークン・バケツ・パラメータを集約するための手段を含む、請求項１５に記載の中継ノード。
【請求項１７】
前記予測リソース要求のためのリソースの異なる数を計算するための手段は、前記追加のノードとの通信に関連する前記１つ又は複数のパラメータの各々に確率を適用するための手段をさらに含み、ここにおいて、前記確率は、前記追加のノードから送信されたパケットを正しく受信する確率である、請求項１５に記載の中継ノード。
【請求項１８】
前記予測リソース要求を生成するための手段は、前記１つ又は複数のパラメータに関連するサービス品質に各々が対応する複数の予測リソース要求のベクトルを生成するための手段を含む、請求項１０に記載の中継ノード。
【請求項１９】
無線通信のための中継ノードであって、
無線ネットワーク内の通信のための1つ又は複数のノードに関連するリソースの数を決定することと、
前記リソースの数に少なくとも部分的に基づいて、予測リソース要求を生成することと、ここにおいて、前記予測リソース要求は、サービス品質（ＱｏＳ）階級に関連して生成される、
前記予測リソース要求を前記無線ネットワーク内の異なるノードへ送信することと、
前記異なるノードからリソースのセットの許可を取得することと、
前記ノードからデータを取得することと、
前記リソースの許可されたセットを介して前記異なるノードへ前記データを転送することと
を行うように構成された少なくとも１つのプロセッサと、
前記少なくとも１つのプロセッサに結合されたメモリと
を備える、中継ノード。
【請求項２０】
中継ノードによって実行される、無線通信のためのコードを記憶したコンピュータ読取可能記憶媒体であって、
前記コードは、少なくとも１つのコンピュータに、
無線ネットワーク内の１つ又は複数のノードに関連するリソースの数を決定することと、
前記リソースの数に少なくとも部分的に基づいて、予測リソース要求を生成することと、ここにおいて、前記予測リソース要求は、サービス品質（ＱｏＳ）階級に関連して生成される、
前記予測リソース要求を前記無線ネットワーク内の異なるノードへ送信することと、
前記異なるノードからリソースのセットの許可を取得することと、
前記ノードからデータを取得することと、
前記リソースの許可されたセットを介して前記異なるノードへ前記データを転送することと
を行わせるためのコードを備える、コンピュータ読取可能記憶媒体。